【手続補正書】
【提出日】平成15年11月26日(2003.11.26)
【手続補正１】
【補正対象書類名】明細書
【補正対象項目名】発明の名称
【補正方法】変更
【補正の内容】
【発明の名称】データ転送処理装置、デバイス装置、及びデータ転送方法
【手続補正２】
【補正対象書類名】明細書
【補正対象項目名】特許請求の範囲
【補正方法】変更
【補正の内容】
【特許請求の範囲】
【請求項１】
クライアント装置及びデバイス装置間におけるデータ転送を制御するデータ転送処理装置であって、
前記デバイス装置の状態に関する状態情報を取得する状態情報取得手段と、
該状態情報取得手段で取得した前記状態情報に応じたメッセージを前記デバイス装置から取得するメッセージ取得手段と、
前記メッセージ取得手段で取得したメッセージと該メッセージの送信先を示す送信先情報とに基づき送信データを作成する送信データ作成手段と、
前記送信データ作成手段で作成した送信データを電子メールとして送信する電子メール送信手段とを有することを特徴とするデータ転送処理装置。
【請求項２】
前記電子メール送信手段は、前記電子メールを通信媒体上に接続されたメールサーバ装置を介して前記クライアント装置に送信することを特徴とする請求項１記載のデータ転送処理装置。
【請求項３】
前記デバイス装置の状態情報に応じたメッセージを生成するメッセージ生成手段を有し、
前記メッセージ取得手段によりメッセージが取得されなかった場合、前記送信データ作成手段は、前記メッセージ生成手段により生成されたメッセージを代替メッセージとして使用して送信データを作成することを特徴とする請求項１或いは２に記載のデータ転送処理装置。
【請求項４】
クライアント装置及びデバイス装置間におけるデータ転送を制御するデータ転送処理装置であって、
前記デバイス装置の状態に関する状態情報に応じたメッセージを含む電子メールを送信するための送信設定情報を保持する送信設定情報保持手段と、
前記クライアント装置上で表示される前記送信設定情報の設定画面を表すデータを生成するデータ生成手段と、
前記データ生成手段で生成した前記データを前記クライアント装置に送信するデータ送信手段とを有することを特徴とするデータ転送処理装置。
【請求項５】
前記クライアント装置から送信される通知設定情報を取得する通知設定情報取得手段と、
前記通知設定情報取得手段で取得した前記通知設定情報を保持する通知設定情報保持手段と、
前記通知設定情報に基づき、前記デバイス装置に対し前記デバイス装置の状態の通知条件を設定する通知条件設定手段とを有することを特徴とする請求項４記載のデータ転送処理装置。
【請求項６】
前記デバイス装置は、記録媒体上に画像を形成する画像形成機能を有し、
前記状態情報とは、前記デバイス装置で用いる消耗品の補充や消耗部品の交換に関する情報、或いは前記デバイス装置の処理状況を示す情報を含むものであり、
前記データ転送処理装置は、前記デバイス装置が備えることを特徴とする請求項１乃至５の何れかに記載のデータ転送処理装置。
【請求項７】
クライアント装置と通信可能なデバイス装置であって、
デバイス装置の状態に関する状態情報を取得する状態情報取得手段と、
前記状態情報取得手段で取得した前記状態情報に応じたメッセージを取得するメッセージ取得手段と、
前記メッセージ取得手段で取得したメッセージと該メッセージの送信先を示す送信先情報に基づき送信データを作成する送信データ作成手段と、
前記送信データ作成手段で作成した前記送信データを電子メールとして送信する電子メール送信手段とを有することを特徴とするデバイス装置。
【請求項８】
クライアント装置と通信可能なデバイス装置であって、
デバイス装置の状態に関する状態情報に応じたメッセージを含む電子メールを送信するための送信設定情報を保持する送信設定情報保持手段と、
前記クライアント装置上で表示される前記送信設定情報の設定画面を表すデータを生成するデータ生成手段と、
前記データ生成手段で生成した前記データを前記クライアント装置に送信するデータ送信手段とを有することを特徴とするデバイス装置。
【請求項９】
クライアント装置及びデバイス装置が通信可能に接続されたネットワークシステムにおけるデータ転送方法であって、
前記デバイス装置は、前記デバイス装置の状態に関する状態情報を取得し、取得した前記状態情報に応じたメッセージを取得し、取得した前記メッセージと該メッセージの送信先を示す送信先情報とに基づき送信データを作成し、作成した前記送信データを電子メールとして送信することを特徴とするデータ転送方法。
【請求項１０】
クライアント装置及びデバイス装置が通信可能に接続されたネットワークシステムにおけるデータ転送方法であって、
前記デバイス装置は、前記デバイス装置の状態に関する状態情報に応じたメッセージを含む電子メールを送信するための送信設定情報を保持し、前記クライアント装置上で表示される前記送信設定情報の設定画面を表すデータを生成し、生成した前記データを前記クライアント装置に送信することを特徴とするデータ転送方法。
【請求項１１】
クライアント装置及びデバイス装置間におけるデータ転送を制御するデータ転送処理装置で実行されるデータ転送方法であって、
前記デバイス装置の状態に関する状態情報を取得する状態情報取得ステップと、
前記状態情報取得ステップで取得した前記状態情報に応じたメッセージを前記デバイス装置から取得するメッセージ取得ステップと、
前記メッセージと送信先情報に基づき送信データを作成する送信データ作成ステップと、
前記送信データ作成ステップで作成した前記送信データを電子メールとして送信する電子メール送信ステップとを有することを特徴とするデータ転送方法。
【請求項１２】
クライアント装置及びデバイス装置間におけるデータ転送を制御するデータ転送処理装置で実行されるデータ転送方法であって、
前記クライアント装置上で表示される、前記デバイス装置の状態に関する状態情報に応じたメッセージを含む電子メールを送信するための送信設定情報の設定画面を表すデータを生成するデータ生成ステップと、
前記データ生成ステップで生成した前記データを前記クライアント装置に送信するデータ送信ステップとを有することを特徴とするデータ転送方法。
【請求項１３】
クライアント装置及びデバイス装置間におけるデータ転送を制御するデータ転送処理装置であって、
前記デバイス装置の状態に関する状態情報を取得する状態情報取得手段と、
前記状態情報取得手段で取得した前記状態情報に応じたメッセージを前記デバイス装置から取得するメッセージ取得手段と、
前記メッセージ取得手段で取得したメッセージと該メッセージの送信先を示す送信先情報とに基づき送信データを作成する送信データ作成手段と、
前記送信データ作成手段で作成した前記送信データを前記クライアント装置に送信する送信手段とを有することを特徴とするデータ転送処理装置。
【請求項１４】
クライアント装置及びデバイス装置間におけるデータ転送を制御するデータ転送処理装置であって、
前記デバイス装置の状態に関する状態情報に応じたメッセージを含む送信データを前記クライアント装置に送信するための送信設定情報を保持する送信設定情報保持手段と、
前記クライアント装置上で表示される前記送信設定情報の設定画面を表すデータを生成するデータ生成手段と、
前記データ生成手段で生成した前記データを前記クライアント装置に送信するデータ送信手段とを有することを特徴とするデータ転送処理装置。
【請求項１５】
クライアント装置及びデバイス装置間におけるデータ転送を制御するデータ転送処理装置で実行されるデータ転送方法であって、
前記デバイス装置の状態に関する状態情報を取得する状態情報取得ステップと、
前記状態情報取得ステップで取得した前記状態情報に応じたメッセージを前記デバイス装置から取得するメッセージ取得ステップと、
前記メッセージ取得ステップで取得したメッセージと該メッセージの送信先を示す送信先情報とに基づき送信データを作成する送信データ作成ステップと、
前記送信データ作成ステップで作成した前記送信データを前記クライアント装置に送信する送信ステップとを有することを特徴とするデータ転送方法。
【手続補正３】
【補正対象書類名】明細書
【補正対象項目名】０００１
【補正方法】変更
【補正の内容】
【０００１】
【発明の属する技術分野】
本発明は、データ転送処理装置、デバイス装置、及びデータ転送方法に関し、特に、ネットワーク上に接続された、サーバ装置と、クライアント装置と、ネットワークへのインタフェースを行うネットワーク制御部及び装置自身の制御を行うデバイス制御部を備えたデバイス装置との間におけるデータ転送処理、データ転送で行われる処理の設定、デバイス装置における制御に好適なデータ転送処理装置、デバイス装置、及びデータ転送方法に関する。


【手続補正４】
【補正対象書類名】明細書
【補正対象項目名】０００８
【補正方法】変更
【補正の内容】
【０００８】
本発明は、上述した点に鑑みなされたものであり、デバイス装置の状態変化に基づくデバイス装置の状態情報に応じたメッセージと送信先情報に基づき作成した送信データを電子メールとして送信することで、デバイス装置を管理するユーザにデバイス装置の状態を的確なタイミングで認知させることを可能としたデータ転送処理装置、デバイス装置、及びデータ転送方法を提供することを第一の目的とする。


【手続補正５】
【補正対象書類名】明細書
【補正対象項目名】０００９
【補正方法】変更
【補正の内容】
【０００９】
また、本発明は、上述した点に鑑みなされたものであり、任意のクライアント装置からデバイス装置に対し、専用のアプリケーションを用いることなく、デバイス装置を管理するための情報を取得し転送するように指示することを可能としたデータ転送処理装置、デバイス装置、及びデータ転送方法を提供することを第二の目的とする。


【手続補正６】
【補正対象書類名】明細書
【補正対象項目名】００１０
【補正方法】変更
【補正の内容】
【００１０】
また、本発明は、上述した点に鑑みなされたものであり、デバイス装置の各状態を示すメッセージをデバイス装置のデバイス制御部に保持することで、クライアント装置及びデバイス装置間のデータ転送処理を担うネットワーク制御部が、デバイス装置に依存する情報を保持することを不要とし、同じシステム構成からなり異なるデバイス制御部を備えたデバイス装置に対し、上記ネットワーク制御部をそのまま適用することを可能としたデータ転送処理装置、デバイス装置、及びデータ転送方法を提供することを第三の目的とする。


【手続補正７】
【補正対象書類名】明細書
【補正対象項目名】００１１
【補正方法】変更
【補正の内容】
【００１１】
上記目的を達成するため、請求項１記載の発明は、クライアント装置及びデバイス装置間におけるデータ転送を制御するデータ転送処理装置であって、前記デバイス装置の状態に関する状態情報を取得する状態情報取得手段と、該状態情報取得手段で取得した前記状態情報に応じたメッセージを前記デバイス装置から取得するメッセージ取得手段と、前記メッセージ取得手段で取得したメッセージと該メッセージの送信先を示す送信先情報とに基づき送信データを作成する送信データ作成手段と、前記送信データ作成手段で作成した送信データを電子メールとして送信する電子メール送信手段とを有することを特徴とする。


【手続補正８】
【補正対象書類名】明細書
【補正対象項目名】００１２
【補正方法】変更
【補正の内容】
【００１２】
請求項２記載の発明は、前記電子メール送信手段は、前記電子メールを通信媒体上に接続されたメールサーバ装置を介して前記クライアント装置に送信することを特徴とする。
【手続補正９】
【補正対象書類名】明細書
【補正対象項目名】００１３
【補正方法】変更
【補正の内容】
【００１３】
請求項３記載の発明は、前記デバイス装置の状態情報に応じたメッセージを生成するメッセージ生成手段を有し、前記メッセージ取得手段によりメッセージが取得されなかった場合、前記送信データ作成手段は、前記メッセージ生成手段により生成されたメッセージを代替メッセージとして使用して送信データを作成することを特徴とする。
【手続補正１０】
【補正対象書類名】明細書
【補正対象項目名】００１４
【補正方法】変更
【補正の内容】
【００１４】
請求項４記載の発明は、クライアント装置及びデバイス装置間におけるデータ転送を制御するデータ転送処理装置であって、前記デバイス装置の状態に関する状態情報に応じたメッセージを含む電子メールを送信するための送信設定情報を保持する送信設定情報保持手段と、前記クライアント装置上で表示される前記送信設定情報の設定画面を表すデータを生成するデータ生成手段と、前記データ生成手段で生成した前記データを前記クライアント装置に送信するデータ送信手段とを有することを特徴とする。


【手続補正１１】
【補正対象書類名】明細書
【補正対象項目名】００１５
【補正方法】変更
【補正の内容】
【００１５】
請求項５記載の発明は、前記クライアント装置から送信される通知設定情報を取得する通知設定情報取得手段と、前記通知設定情報取得手段で取得した前記通知設定情報を保持する通知設定情報保持手段と、前記通知設定情報に基づき、前記デバイス装置に対し前記デバイス装置の状態の通知条件を設定する通知条件設定手段とを有することを特徴とする。


【手続補正１２】
【補正対象書類名】明細書
【補正対象項目名】００１６
【補正方法】変更
【補正の内容】
【００１６】
請求項６記載の発明は、前記デバイス装置は、記録媒体上に画像を形成する画像形成機能を有し、前記状態情報とは、前記デバイス装置で用いる消耗品の補充や消耗部品の交換に関する情報、或いは前記デバイス装置の処理状況を示す情報を含むものであり、前記データ転送処理装置は、前記デバイス装置が備えることを特徴とする。


【手続補正１３】
【補正対象書類名】明細書
【補正対象項目名】００１７
【補正方法】変更
【補正の内容】
【００１７】
請求項７記載の発明は、クライアント装置と通信可能なデバイス装置であって、デバイス装置の状態に関する状態情報を取得する状態情報取得手段と、前記状態情報取得手段で取得した前記状態情報に応じたメッセージを取得するメッセージ取得手段と、前記メッセージ取得手段で取得したメッセージと該メッセージの送信先を示す送信先情報に基づき送信データを作成する送信データ作成手段と、前記送信データ作成手段で作成した前記送信データを電子メールとして送信する電子メール送信手段とを有することを特徴とする。


【手続補正１４】
【補正対象書類名】明細書
【補正対象項目名】００１８
【補正方法】変更
【補正の内容】
【００１８】
請求項８記載の発明は、クライアント装置と通信可能なデバイス装置であって、デバイス装置の状態に関する状態情報に応じたメッセージを含む電子メールを送信するための送信設定情報を保持する送信設定情報保持手段と、前記クライアント装置上で表示される前記送信設定情報の設定画面を表すデータを生成するデータ生成手段と、前記データ生成手段で生成した前記データを前記クライアント装置に送信するデータ送信手段とを有することを特徴とする。
【手続補正１５】
【補正対象書類名】明細書
【補正対象項目名】００１９
【補正方法】変更
【補正の内容】
【００１９】
請求項９記載の発明は、クライアント装置及びデバイス装置が通信可能に接続されたネットワークシステムにおけるデータ転送方法であって、前記デバイス装置は、前記デバイス装置の状態に関する状態情報を取得し、取得した前記状態情報に応じたメッセージを取得し、取得した前記メッセージと該メッセージの送信先を示す送信先情報とに基づき送信データを作成し、作成した前記送信データを電子メールとして送信することを特徴とする。
【手続補正１６】
【補正対象書類名】明細書
【補正対象項目名】００２０
【補正方法】変更
【補正の内容】
【００２０】
請求項１０記載の発明は、クライアント装置及びデバイス装置が通信可能に接続されたネットワークシステムにおけるデータ転送方法であって、前記デバイス装置は、前記デバイス装置の状態に関する状態情報に応じたメッセージを含む電子メールを送信するための送信設定情報を保持し、前記クライアント装置上で表示される前記送信設定情報の設定画面を表すデータを生成し、生成した前記データを前記クライアント装置に送信することを特徴とする。
【手続補正１７】
【補正対象書類名】明細書
【補正対象項目名】００２１
【補正方法】変更
【補正の内容】
【００２１】
請求項１１記載の発明は、クライアント装置及びデバイス装置間におけるデータ転送を制御するデータ転送処理装置で実行されるデータ転送方法であって、前記デバイス装置の状態に関する状態情報を取得する状態情報取得ステップと、前記状態情報取得ステップで取得した前記状態情報に応じたメッセージを前記デバイス装置から取得するメッセージ取得ステップと、前記メッセージと送信先情報に基づき送信データを作成する送信データ作成ステップと、前記送信データ作成ステップで作成した前記送信データを電子メールとして送信する電子メール送信ステップとを有することを特徴とする。
【手続補正１８】
【補正対象書類名】明細書
【補正対象項目名】００２２
【補正方法】変更
【補正の内容】
【００２２】
請求項１２記載の発明は、クライアント装置及びデバイス装置間におけるデータ転送を制御するデータ転送処理装置で実行されるデータ転送方法であって、前記クライアント装置上で表示される、前記デバイス装置の状態に関する状態情報に応じたメッセージを含む電子メールを前記クライアント装置に送信するための送信設定情報の設定画面を表すデータを生成するデータ生成ステップと、前記データ生成ステップで生成した前記データを前記クライアント装置に送信するデータ送信ステップとを有することを特徴とする。
【手続補正１９】
【補正対象書類名】明細書
【補正対象項目名】００２３
【補正方法】変更
【補正の内容】
【００２３】
請求項１３記載の発明は、クライアント装置及びデバイス装置間におけるデータ転送を制御するデータ転送処理装置であって、前記デバイス装置の状態に関する状態情報を取得する状態情報取得手段と、前記状態情報取得手段で取得した前記状態情報に応じたメッセージを前記デバイス装置から取得するメッセージ取得手段と、前記メッセージ取得手段で取得したメッセージと該メッセージの送信先を示す送信先情報とに基づき送信データを作成する送信データ作成手段と、前記送信データ作成手段で作成した前記送信データを送信する送信手段とを有することを特徴とする。
【手続補正２０】
【補正対象書類名】明細書
【補正対象項目名】００２４
【補正方法】変更
【補正の内容】
【００２４】
請求項１４記載の発明は、クライアント装置及びデバイス装置間におけるデータ転送を制御するデータ転送処理装置であって、前記デバイス装置の状態に関する状態情報に応じたメッセージを含む送信データを前記クライアント装置に送信するための送信設定情報を保持する送信設定情報保持手段と、前記クライアント装置上で表示される前記送信設定情報の設定画面を表すデータを生成するデータ生成手段と、前記データ生成手段で生成した前記データを前記クライアント装置に送信するデータ送信手段とを有することを特徴とする。


【手続補正２１】
【補正対象書類名】明細書
【補正対象項目名】００２５
【補正方法】変更
【補正の内容】
【００２５】
請求項１５記載の発明は、クライアント装置及びデバイス装置間におけるデータ転送を制御するデータ転送処理装置で実行されるデータ転送方法であって、前記デバイス装置の状態に関する状態情報を取得する状態情報取得ステップと、前記状態情報取得ステップで取得した前記状態情報に応じたメッセージを前記デバイス装置から取得するメッセージ取得ステップと、前記メッセージ取得ステップで取得したメッセージと該メッセージの送信先を示す送信先情報とに基づき送信データを作成する送信データ作成ステップと、前記送信データ作成ステップで作成した前記送信データを前記クライアント装置に送信する送信ステップとを有することを特徴とする。
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】０１６９
【補正方法】変更
【補正の内容】
【０１６９】
【発明の効果】
以上説明したように、本発明のデータ転送処理装置によれば、デバイス装置の状態変化に基づくデバイス装置の状態情報に応じたメッセージと送信先情報とに基づき作成した送信データを、電子メールとしてメールサーバ装置を介してクライアント装置へ送信するので、デバイス装置を管理するユーザに対し、デバイス装置の状態を的確なタイミングで認知させることが可能となる。


【手続補正６８】
【補正対象書類名】明細書
【補正対象項目名】０１７２
【補正方法】変更
【補正の内容】
【０１７２】
また、デバイス装置の状態情報に応じた自然言語に基づくメッセージを取得できない場合、予め用意されている代替メッセージをメールサーバ装置を介してクライアント装置へ送信するため、上記と同様に、デバイス装置を管理するユーザに対し、デバイス装置の状態を的確なタイミングで認知させることが可能となる。


【手続補正６９】
【補正対象書類名】明細書
【補正対象項目名】符号の説明
【補正方法】変更
【補正の内容】
【符号の説明】
１０１、１１０１  デバイス装置
１０２、１１０２  デバイス制御部
１０３、１１０３  ネットワーク制御部（データ転送処理装置）
１０７  デバイス状態変化検知部（状態情報取得手段）
１０８  メールメッセージ生成部（送信データ作成手段）
１０９  ステータスメッセージ取得部（メッセージ取得手段）
１１０  ステータスメッセージ送信部
１１１  ステータスメッセージデータ部
１１２  メールヘッダ・フッダデータ部
１１３  メール送信部（電子メール送信手段）
２０１、１２０１  ネットワーク（通信媒体）
３０１、１３０１  クライアント装置
３０２  メールサーバ装置
１１０５  メール通知設定画面生成部（データ生成手段）
１１０７  メール通知設定情報記憶メモリ（送信設定情報保持手段、通知設定情報保持手段）
１１０８  メール通知設定情報取得部（通知設定情報取得手段）
１１１０  デバイス状態通知条件設定部（通知条件設定手段）
１１１４  ネットワークＩ／Ｆ（データ送信手段）